(57)【要約】【課題】震動を生じる電子装置に適用する防震型エレクトリックコネクターを提供する。【解決手段】防震型エレクトリックコネクター１００は、第一方向Ｄ１に沿って少なくとも１個の弾性連接柱１１を突出状に設置する固定台１、第一方向Ｄ１に沿って間隔を開けて固定台１片側に並べて配列される浮動台２、浮動台２には弾性連接柱１１を可動状に対応して連接する少なくとも１個の可動連接部２１を開設し、これにより浮動台２は少なくとも弾性連接柱１１及び可動連接部２１に基づき、固定台１に相対して浮動し、第一方向Ｄ１に沿って固定台１及び浮動台２の多数の端子３に導入して挿入される。これにより、震動は浮動台２にのみ及び、固定台１には及ばないため防震効果を備え、さらに高さを低くできるため、薄型設計に適用できる。【選択図】図４
0003200823.tif 000002
【実用新案登録請求の範囲】
【請求項１】
防震型エレクトリックコネクターは、固定台、浮動台、多数の端子を備え、
該固定台は、第一方向に沿って少なくとも１個の弾性連接柱を突出状に設置し、
該浮動台は、該第一方向に沿って間隔を開けて、該固定台片側に並べて配列され、該浮動台は、少なくとも１個の該弾性連接柱を可動性対応させて連接する少なくとも１個の可動連接部を開設し、該浮動台は、少なくとも１個の該弾性連接柱、及び少なくとも１個の該可動連接部により、該固定台に相対して浮動し、
該多数の端子のそれぞれは、該第一方向に沿って、該固定台と該浮動台に同時に挿入されることを特徴とする防震型エレクトリックコネクター。
【請求項２】
前記浮動台は、少なくとも１個の該可動連接部の位置に対応し、対応凸棒を設置し、
該少なくとも１個の該弾性連接柱には、該対応凸棒に逆嵌合する逆嵌合体、及び該対応凸棒にスライドして接続する凹槽を形成することを特徴とする請求項１に記載の防震型エレクトリックコネクター。
【請求項３】
前記可動連接部が第二方向に沿って延伸する幅は、該弾性連接柱の外径より大きく、
該弾性連接柱は、該第二方向に沿って、該可動連接部において往復移動でき、しかも該第二方向と該第一方向とは、相互に水平に交差することを特徴とする請求項１に記載の防震型エレクトリックコネクター。
【請求項４】
前記弾性連接柱は、中から開設するカット溝により、第三方向上に相互に相対する２個の弾性アームを形成し、
該２個の弾性アームは、該第三方向に沿って、往復弾性揺動でき、しかも該第三方向と該第一方向とは、相互に垂直に交差することを特徴とする請求項１に記載の防震型エレクトリックコネクター。
【請求項５】
前記弾性連接柱は、中から開設し、しかも相互に交差する多数のカット溝により、多数の弾性アームを形成し、
該弾性アームは、四周の任意の方向に向かい往復弾性揺動が可能であることを特徴とする請求項１に記載の防震型エレクトリックコネクター。
【請求項６】
前記多数の端子のそれぞれは、溶接部を備え、
該溶接部は、該固定台を通過して凸出することを特徴とする請求項１に記載の防震型エレクトリックコネクター。
【請求項７】
前記多数の端子のそれぞれは、該浮動台内に進入する導接部、該固定台に凸出する溶接部、及び該導接部と該溶接部との間に位置する多数の弾性湾曲部を備えることを特徴とする請求項１に記載の防震型エレクトリックコネクター。
【請求項８】
前記防震型エレクトリックコネクターは、２個の金属弾片をさらに備え、
該固定台には、２個の弾片槽を開設し、
該浮動台は、該各弾片槽に対応し、しかも該第一方向に反対に凸伸する２個の凸伸柱を備え、該各凸伸柱は、クリップ部を備え、
該各金属弾片は、該各弾片槽の位置に対応し、該第一方向に沿って該固定台に設置され、
該各凸伸柱のクリップ部は、該各金属弾片をそれぞれ挟むことを特徴とする請求項１に記載の防震型エレクトリックコネクター。
【請求項９】
前記固定台には、２個の可動係合槽を開設し、
該固定台は、該各可動係合槽の位置に対応し、対応凸体を設置し、
該浮動台は、該第一方向に反対に凸伸し、しかも該各可動係合槽に対応して挿入される２個の係合柱を備え、該各係合柱には、該対応凸体に嵌合する逆嵌合体を形成し、該各係合柱には、中から開設し、しかも相互に交差する多数のカット溝により、往復弾性揺動可能な多数の受動弾性アームを形成することを特徴とする請求項１に記載の防震型エレクトリックコネクター。
【請求項１０】
前記防震型エレクトリックコネクターはさらに、２個の固定接続部材を備え、
該各固定接続部材には、挿入接続部、係合部、及び他の位置に固定して接続される固定接続部を設置し、
該固定台には、２個の係合体を設置し、しかも２個の挿入槽を開設し、
該各固定接続部材の該挿入接続部は、該各挿入槽の位置に対応し、該固定台に挿入して接続され、
該各固定接続部材の該係合部は、該各係合体係合に対応することを特徴とする請求項１に記載の防震型エレクトリックコネクター。
【請求項１１】
前記防震型エレクトリックコネクターはさらに、該固定台を遮蔽する金属外殼を備え、
該金属外殼には、多数の外殼係合部、及び他の位置に挿入接続される多数の挿入ピンを設置し、該固定台には、多数の係合体を設置し、
該金属外殼の該各外殼係合部は、該各係合体に対応して係合されることを特徴とする請求項１に記載の防震型エレクトリックコネクター。
【請求項１２】
前記金属外殼は、該第一方向に沿って、多数の嵌着弾片を凸伸し、
該各嵌着弾片は、該浮動台の多数の相対側に弾性嵌着されることを特徴とする請求項１１に記載の防震型エレクトリックコネクター。
【請求項１３】
前記固定台は、本体及び端子板を備え、
該本体の片側は、該第一方向に沿って弾性連接柱を凸伸し、
該端子板は、該本体の、片側と相対する反対の片側に結合し、
該各端子は、該端子板に固定され、該第一方向に沿って、該固定台及び該浮動台に同時に挿入されることを特徴とする請求項１に記載の防震型エレクトリックコネクター。
【請求項１４】
前記端子板は、該第一方向に沿って多数の逆嵌合アームを凸伸し、
該本体は、該各逆嵌合アームを対応して逆嵌合する多数の逆嵌合槽を備えることを特徴とする請求項１３に記載の防震型エレクトリックコネクター。
【請求項１５】
前記固定台は、回路基板上に設置し、
該浮動台は、該第一方向に沿って、該固定台の片側に間隔を開けて並べて配列し、
該各端子の一端は、該固定台の片側に相対する反対の片側から凸出し、該回路基板に溶接されることを特徴とする請求項１に記載の防震型エレクトリックコネクター。
【請求項１６】
前記浮動台は、ドックコネクターと連接されることを特徴とする請求項１に記載の防震型エレクトリックコネクター。
【考案の詳細な説明】
【技術分野】
【０００１】
本考案はコネクターに関し、特に震動を生じる電子装置に用いる防震型エレクトリックコネクターに関する。
【背景技術】
【０００２】
震動を生じる電子装置には、高速伝送のＳＡＴＡ（Ｓｅｒｉａｌ  Ａｄｖａｎｃｅｄ  Ｔｅｃｈｎｏｌｏｇｙ  Ａｔｔａｃｈｍｅｎｔ）に適用されるインターフェースハードディスク或いはＳＡＴＡインターフェースＤＶＤなどがあり、運転速度が速いため、震動を生じる。
これら電子装置と電気的に連接するエレクトリックコネクター（ＳＡＴＡインターフェース電子装置と電気的に連接するＳＡＴＡエレクトリックコネクターなど）は、これら電子装置が生じる震動を受けることとなる。
【０００３】
しかし、既存のＳＡＴＡエレクトリックコネクターは、一体式設計であるため、これら電子装置が生じる震動は、ＳＡＴＡエレクトリックコネクターの端子ピンと回路基板との間の溶接状態を緩めてしまい、抜けたり、折れたりする状況さえ発生し得る。
これにより、接触不良或いは使用不能の結果が起きている。
本考案は、従来の防震型エレクトリックコネクターの上記した欠点に鑑みてなされたものである。
【先行技術文献】
【特許文献】
【０００４】
【特許文献１】実用新案登録第３１４０９８２号公報
【考案の概要】
【考案が解決しようとする課題】
【０００５】
本考案が解決しようとする課題は、エレクトリックコネクターを二つに分け、しかも相互に間隔を開けて並べて配列し、固定台及び浮動台を設置し、浮動台は固定台に相対して浮動し、こうすることで、震動は浮動台にのみ及び、固定台には及ばず、防震効果を達成し、さらには高さを低くできるため、薄型設計に適用できる防震型エレクトリックコネクターを提供することである。
【課題を解決するための手段】
【０００６】
上記課題を解決するため、本考案は下記の防震型エレクトリックコネクターを提供する。
防震型エレクトリックコネクターは、固定台、浮動台、多数の端子を備える。
該固定台は、第一方向に沿って少なくとも１個の弾性連接柱を突出状に設置し、該浮動台は、該第一方向に沿って間隔を開けて、該固定台片側に並べて配列され、該浮動台は、少なくとも１個の該弾性連接柱を可動性対応させて連接する少なくとも１個の可動連接部を開設し、該浮動台は、少なくとも１個の該弾性連接柱、及び少なくとも１個の該可動連接部により、該固定台に相対して浮動し、該各端子は、該第一方向に沿って、該固定台と該浮動台に同時に挿入される。
【考案の効果】
【０００７】
本考案の防震型エレクトリックコネクターでは、震動は浮動台にのみ及び、固定台には及ばないため防震効果を備え、さらに高さを低くできるため、薄型設計に適用できる。
【図面の簡単な説明】
【０００８】
【図１】本考案エレクトリックコネクター第一実施形態の立体分解図である。
【図２】図１の別の視角からの分解図である。
【図３】図２の立体組合せ図である。
【図４】図３の弾性連接柱部分の断面図である。
【図５】図３の端子部分の断面図である。
【図６】図３の固定接続部材部分の断面図である。
【図７】本考案エレクトリックコネクター第二実施形態の立体分解図である。
【図８】図７の別の視角からの分解図である。
【図９】図８の立体組合せ図である。
【図１０】図９の端子部分の断面図である。
【図１１】図９の固定台部分の断面図である。
【図１２】本考案エレクトリックコネクター第三実施形態の立体分解図である。
【図１３】図１２の別の視角からの分解図である。
【図１４】図１３の立体組合せ図である。
【図１５】図１４の断面図であり、係合柱を示す。
【図１６】本考案エレクトリックコネクター第四実施形態の立体分解図である。
【図１７】図１６の別の視角からの分解図である。
【図１８】図１７の立体組合せ図である。
【図１９】図１８の端子部分の断面図である。
【考案を実施するための形態】
【０００９】
以下に図面を参照しながら本考案を実施するための最良の形態について詳細に説明する。
【００１０】
本考案の防震型エレクトリックコネクターは、電子装置のコネクターと電気的に連接する。
【００１１】
該電子装置は、ハードディスク或いはDVD等の震動を生じる各種電子装置で、以下ではＳＡＴＡインターフェースハードディスク或いはＳＡＴＡインターフェースDVDに適用するＳＡＴＡエレクトリックコネクターを例として説明を行う。
【００１２】
図１〜図６は、本考案の第一実施形態であり、図７〜図１１は、本考案の第二実施形態であり、図１２〜図１５は、本考案の第三実施形態であり、図１６〜図１９は、本考案の第四実施形態である。
【００１３】
図１〜図６に示すように、本考案エレクトリックコネクターの第一実施形態では、ドックコネクター（図示なし）と連接する。
【００１４】
本考案エレクトリックコネクター１００は、固定台１、浮動台２及び多数の端子３を備える。
【００１５】
該固定台１は、回路基板８００（図４〜図６参照）上に設置し、固定台１を回路基板８００に固定する方式は、本考案では制限しない。
【００１６】
柱体１８を回路基板８００に挿入して接続する他、本第一実施形態の固定接続部材５或いは第二〜四実施形態の金属外殼６により、固定することもできる。
【００１７】
該固定台１の片側には、第一方向Ｄ１に沿って、少なくとも１個の弾性連接柱１１を突出状の設置し、該弾性連接柱１１の数は本考案では制限されないが、以下では１個を例として説明を行う。
【００１８】
該固定台１の片側は、前、後、左、右の四側の内の任意の側とできるが、本考案では前側を例として説明を行うため、第一方向Ｄ１は後から前への方向である。
【００１９】
さらに、弾性連接柱１１は、弾性材質により製造する柱体で、固定台１四周に対する任意の方向に向かい弾性揺動する。
【００２０】
該浮動台２は、第一方向Ｄ１に沿って間隔を開けて並べて配列し、該固定台１の前側において、ドックコネクターは、該浮動台２と相互に対応して挿入接続される。
【００２１】
該浮動台２には、該弾性連接柱１１に相対する可動連接部２１を開設する。
【００２２】
そのため、該浮動台２が第一方向Ｄ１に沿って固定台１の前側に間隔を開けて並べて配列されると、該弾性連接柱１１は可動連接部２１に可動状に対応して連接し、こうして該弾性連接柱１１は該可動連接部２１内で動くことができる。
【００２３】
よって、該浮動台２將能少なくとも該弾性連接柱１１及び該可動連接部２１に基づき、該固定台１に相対して浮動する。
【００２４】
各端子３は、第一方向Ｄ１に沿って、該固定台１と該浮動台２に同時に挿入され（図１及び図５参照）、しかも各端子３の一端は、該固定台１の後側を通過して凸出し、回路基板８００に接続される。
【００２５】
これにより、ドックコネクターからのデータは、端子３を経て回路基板８００に伝送され、或いは反対に伝送される。
【００２６】
これにより、電子装置（図示なし）がドックコネクターを経て、震動を本考案エレクトリックコネクター１００に伝えても、ドックコネクターは該浮動台２だけに接続し、しかも該浮動台２は該可動連接部２１により該固定台１の弾性連接柱１１に動くように連接されるため、該浮動台２は該固定台１に相対して浮動し、該固定台１は完全に不動である。
【００２７】
言い換えれば、電子装置からの震動は、該浮動台２のみを連動していっしょに震動させ、該固定台１はいっしょに震動しないため、防震の効果を達成できる。
【００２８】
こうして、該固定台１を通過して凸出し回路基板８００に接続される各端子３の溶接位置は緩んだり、抜けたり、断裂したりすることはない。
【００２９】
該可動連接部２１が第二方向Ｄ２に沿って伸びるその幅は該弾性連接柱１１の外径より大きく、これにより該弾性連接柱１１は第二方向Ｄ２に沿って可動連接部２１内で往復移動する。
【００３０】
第二方向Ｄ２と第一方向Ｄ１とは、相互に水平に交差し、よって第二方向Ｄ２は、左右方向で、これにより該使浮動台２は、左右往復浮動の作用を備える。
【００３１】
好ましくは、図１及び図４に示すように、該浮動台２は可動連接部２１位置に対応し、対応凸棒２１１をさらに設置する。
【００３２】
該弾性連接柱１１は、該対応凸棒２１１に逆嵌合する逆嵌合体１１１、及び該対応凸棒２１１にスライドして接続する凹槽１１２を形成し、これにより該浮動台２は、逆嵌合体１１１の凸條２１１への逆嵌合を利用し、離脱しにくい。
【００３３】
これにより、該弾性連接柱１１は凸條２１１と凹槽１１２との間のスライド接続関係を利用し、該可動連接部２１内で、第二方向Ｄ２に沿って、スムーズに往復スライド移動する。
【００３４】
さらに、弾性連接柱１１は、中から開設するカット溝１１３により第三方向Ｄ３上に相互に相対する２個の弾性アーム１１４を形成し、これにより２個の弾性アーム１１４は、第三方向Ｄ３に沿って往復弾性揺動する。
【００３５】
第三方向Ｄ３と第一方向Ｄ１とは、相互に垂直交差し、よって、第三方向Ｄ３は、上下方向で、これにより該浮動台２は、おおよそ上下の往復浮動の作用を備える。
【００３６】
当然、該弾性連接柱１１は、中から相互に交差する多数のカット溝を開設し、多数の弾性アーム（図示なし）を形成することができる。
【００３７】
こうして、該弾性連接柱１１は、四周の任意の方向に向かい弾性揺動し、該浮動台２は、四周の任意の方向に向かい往復浮動の作用を備える。
【００３８】
しかも、この時の可動連接部２１はその幅を引き延ばす必要はなく、弾性連接柱１１に掛けることができればそれで良い（図示なし）。
【００３９】
図１及び図５に示すように、該各端子３は、浮動台２内に進入する導接部３１、固定台１後側に凸出する溶接部３２及び導接部３１と溶接部３２との間に位置する多数の弾性湾曲部３３、３４を備える。
【００４０】
該各弾性湾曲部３３、３４により、該各端子３は、前後方向において相対して弾性伸縮し、これにより該浮動台２は前後往復浮動の作用を備える。
【００４１】
該浮動台２の浮動能力をさらに向上させ、該固定台１と該浮動台２との間のサポートと連接能力をさらに向上させるため、以下の多数の方式が実施可能で、本考案は任意の方式に制限されるものではない。
【００４２】
図１及び図６に示す本考案第一実施形態において、エレクトリックコネクター１００は、２個の金属弾片４をさらに備える。
【００４３】
該固定台１の左右両端部には、弾片槽１２をそれぞれ開設し、該浮動台２は、該各弾片槽１２に対応し、しかも第一方向Ｄ１に反対に凸伸する２個の凸伸柱２２を備え、該各凸伸柱２２は、クリップ部２２１を備える。
【００４４】
各金属弾片４は、該各弾片槽１２位置に対応し、第一方向Ｄ１に沿って該固定台１内に設置され、該各凸伸柱２２のクリップ部２２１は、該各金属弾片４をそれぞれ挟んで固定する。
【００４５】
これにより、固定台１と浮動台２との間のサポートと連接能力をさらに向上させられる他、金属弾片４を利用し、第三方向Ｄ３に沿って上下に弾動可能となり、該浮動台２の上下浮動能力をさらに向上させることができる。
【００４６】
図１２〜図１５に示す本考案第三実施形態において、該固定台１の左右両端部の各前側には、可動係合槽１３を開設し、該固定台１は、該可動係合槽１３位置に対応し、対応凸体１３１を設置する。
【００４７】
該浮動台２は、第一方向Ｄ１に反対に凸伸し、しかも該各可動係合槽１３内に対応して挿入される２個の係合柱２３を備える。
【００４８】
該各係合柱２３には、該対応凸体１３１に逆嵌合する逆嵌合体２３１を形成し、該各係合柱２３には、中から開設し、しかも相互に交差する多数のカット溝２３２により、四周の任意の方向に向かい往復弾性揺動する多数の受動弾性アーム２３３を形成する。
【００４９】
これにより、逆嵌合体２３１の凸体１３１への逆嵌合を利用し、該固定台１と該浮動台２との間のサポートと連接能力をさらに向上させられ、しかも該係合柱２３の四周の任意の方向に向かう往復弾性揺動を利用し、該浮動台２の四周の任意の方向に向かう浮動の能力をさらに向上させることができる。
【００５０】
固定台１を回路基板８００に固定する方法は、以下のように多種の方法を実施可能で、本考案はいずれかに制限されない。
【００５１】
図１〜図４に示す本考案第一実施形態において、エレクトリックコネクター１００は、２個の固定接続部材５をさらに備える。
【００５２】
該各固定接続部材５には、挿入接続部５１、係合部５３、及び回路基板８００を固定して接続する固定接続部５２を設置する。
【００５３】
該固定台１の左右両端部には、係合体１５をそれぞれ設置し、それぞれ挿入槽１４を開設する。
【００５４】
該各固定接続部材５の挿入接続部５１は、該各挿入槽１４位置に対応し、固定台１に挿入して接続し、各固定接続部材５の係合部５３は、各係合体１５に対応して係合し、こうして２個の固定接続部材５は、該固定台１の左右両端部にそれぞれ固定される。
【００５５】
該２個の固定接続部材５の固定接続部５２を、図４に示すように回路基板８００に挿入して接続するだけで、該固定台１を堅固に回路基板８００上に固定することができる。
【００５６】
図７〜図１１に示す本考案第二実施形態、或いは図１２〜図１５に示す本考案第三実施形態において、エレクトリックコネクター１００はさらに、該固定台１を遮蔽する金属外殼６を備える。
【００５７】
該金属外殼６には、多数の外殼係合部６２、及び回路基板８００に挿入して接続する多数の挿入ピン６１を設置し、該固定台１には、多数の係合体１５を設置する。
【００５８】
該金属外殼６の各外殼係合部６２は、各係合体１５に対応して係合し、こうして該金属外殼６を該固定台１に固定する。
【００５９】
該各挿入ピン６１を、図１０、図１１或いは図１５に示すように、回路基板８００に挿入して接続するだけで、該固定台１を、堅固に回路基板８００上に固定することができる。
【００６０】
図１６〜図１９に示す本考案第四実施形態において、エレクトリックコネクター１００中の金属外殼６は、第二、三実施形態とおおよそ相同であるため、第二、三実施形態と同様、固定台１を堅固に回路基板８００上に固定する効果を備える。
【００６１】
また、本第四実施形態の金属外殼６はさらに、第一方向Ｄ１に沿って凸伸する多数の嵌着弾片６３を備え、該各嵌着弾片６３は、浮動台２の上下相対側、或いは左右相対側、或いは図に示す上下相対側及び左右相対側などの多数の相対側に弾性嵌着する。
【００６２】
これにより、部分的な震動を打ち消すことができ、浮動台２の震動幅を縮小することができる。
【００６３】
該各端子３の固定方法は、下述の多種方法を実施でき、本考案はなんらかの方法に制限されない。
【００６４】
図１及び図５に示す本考案第一実施形態において、該各端子３は、該固定台１及び該浮動台２内で、直接干渉を受け定位され、これにより該各端子３は挿入接続式の溶接部３２を形成し、溶接部３２を回路基板８００に挿入して接続し、溶接する。
【００６５】
図７〜図１１に示す本考案第二実施形態、或いは図１２〜図１５に示す本考案第三実施形態において、固定台１はさらに、本体１ａ及び端子板１ｂを備える。
【００６６】
該本体１ａの前側には、第一方向Ｄ１に沿って弾性連接柱１１を凸伸し、該端子板１ｂは、該本体１ａの後側に結合し、該各端子３は、該端子板１ｂに固定され、第一方向Ｄ１に沿って該固定台１と該浮動台２に同時に挿入される。
【００６７】
これにより、該各端子３は挿入接続式の溶接部３２を形成し、溶接部３２を回路基板８００に挿入して接続し、溶接する。
【００６８】
好ましくは、端子板１ｂはさらに、第一方向Ｄ１に沿って凸伸する多数の逆嵌合アーム１６を設置し、該本体１ａは、該各逆嵌合アーム１６に対応する多数の逆嵌合槽１７を備える。
【００６９】
該各逆嵌合アーム１６を、逆嵌合槽１７内に挿入して嵌合することで、該端子板１ｂを本体１ａの後側に固定することができる。
【００７０】
該端子３と該端子板１ｂとの間の固定方法には、多数の方法があり、第二、三実施形態では端子３の固定接続段３５（図１０参照）による端子板１ｂへの固定を例として説明を行う。
【００７１】
図１６〜図１９に示す本考案第四実施形態の端子板１ｃの構造は、第二、三実施形態中の端子板１ｂと、おおよそ相同であり、各端子３の伸出する構造に違いがあるだけである。
【００７２】
該各端子３には、表面粘着式の溶接部３２を形成し、こうして溶接部３２を回路基板８００に密着させて溶接でき、しかも本第四実施形態では、端子３の固定接続段３５（図１９参照）により、端子板１ｃに固定して接続する。
【００７３】
すなわち、本考案は従来の技術と比較し、以下のような効果を備える。
【００７４】
エレクトリックコネクター１００を二分割し、しかも相互に間隔を開けて並べて配列し、浮動台２は固定台１と可動状に連接され、浮動台２は四周の任意の方向に向かい固定台１に相対して浮動する。
【００７５】
こうして防震効果を備え、各端子３の溶接位置の震動によるゆるみ、脱落、断裂を防止でき、高さを低くすることもできるため、薄型設計に適用することができる。
【００７６】
各端子３は多数の弾性湾曲部３３、３４を備えるため、前後方向からの震動を吸収でき、第一実施形態では、金属弾片４と凸伸柱２２が前後方向の間に作用し、第三実施形態では、係合柱２３と可動係合槽１３が前後方向の間に作用する。
【００７７】
第一実施形態の金属弾片４と凸伸柱２２、及び第三実施形態の可動係合槽１３と係合柱２３は、浮動台２の浮動能力をさらに向上させ、及び固定台１と浮動台２との間のサポートと連接能力をさらに向上させる。
【００７８】
固定台１を遮蔽し固定する金属外殼６は第一方向Ｄ１に沿って多数の嵌着弾片６３を凸伸し、しかも各嵌着弾片６３は、浮動台２の多数の相対側に弾性嵌着於し、部分的な震動を打ち消すことができ、浮動台２の震動幅を縮小することができる。
【００７９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００８０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００８１】
１００  エレクトリックコネクター
１  固定台
１ａ  本体
１ｂ、１ｃ  端子板
１１  弾性連接柱
１１１  逆嵌合体
１１２  凹槽
１１３  カット溝
１１４  弾性アーム
１２  弾片槽
１３  可動係合槽
１３１  凸体
１４  挿入槽
１５  係合体
１６  逆嵌合アーム
１７  逆嵌合槽
１８  柱体
２  浮動台
２１  可動連接部
２１１  凸條
２２  凸伸柱
２２１  クリップ部
２３  係合柱
２３１  逆嵌合体
２３２  カット溝
２３３  受動弾性アーム
３  端子
３１  導接部
３２  溶接部
３３、３４  弾性湾曲部
３５  固定接続段
４  金属弾片
５  固定接続部材
５１  挿入接続部
５２  固定接続部
５３  係合部
６  金属外殼
６１  挿入ピン
６２  外殼係合部
６３  嵌着弾片
８００  回路基板
Ｄ１  第一方向
Ｄ２  第二方向
Ｄ３  第三方向
【図１】
0003200823.tif 000003
【図２】
0003200823.tif 000004
【図３】
0003200823.tif 000005
【図４】
0003200823.tif 000006
【図５】
0003200823.tif 000007
【図６】
0003200823.tif 000008
【図７】
0003200823.tif 000009
【図８】
0003200823.tif 000010
【図９】
0003200823.tif 000011
【図１０】
0003200823.tif 000012
【図１１】
0003200823.tif 000013
【図１２】
0003200823.tif 000014
【図１３】
0003200823.tif 000015
【図１４】
0003200823.tif 000016
【図１５】
0003200823.tif 000017
【図１６】
0003200823.tif 000018
【図１７】
0003200823.tif 000019
【図１８】
0003200823.tif 000020
【図１９】
0003200823.tif 000021